(57)【要約】【課題】シリンダー装置の頂面までの高さが高い大型のゲートであっても、第１リミットスイッチ（第１検出手段）のメンテナンスを容易に行なうことができるシリンダー開閉式ゲートの全開・全閉検出装置を提供する。【解決手段】扉体４の全開状態を検出して、油圧シリンダー装置５の作動を停止させる第１検出手段６２が、第２リミットスイッチ６３近くの低位置に設置されたリミットスイッチ本体６２Ａと、扉体４の全開位置で昇降棒６０に設けた当板６１が当接する位置に配置した補助レバー６４Ａと、リミットスイッチ本体６２Ａのレバー６４と補助レバー６４Ａを連結して、補助レバー６４Ａの作動をレバー６４に伝達して、リミットスイッチ本体６２Ａを作動させるワイヤー６６とで構成されされている。【選択図】　　　　図１
2004011253.tif 000002
【特許請求の範囲】
【請求項１】
水路または水槽の放流用開口部に対向して該放流用開口部の開閉を可能な位置に設置した扉体と、この扉体を昇降させて前記放流用開口部を開閉するシリンダー装置とを備え、前記扉体の昇降に追従して昇降する昇降棒と、この昇降棒に設けられて該昇降棒とともに昇降する検出手段干渉体と、前記扉体の全開位置で前記検出手段干渉体が干渉して扉体の全開を検出する高位置の第１検出手段と、前記扉体の全閉位置で前記検出手段干渉体が干渉して扉体の全閉を検出する低位置の第２検出手段とを備えてなるシリンダー開閉式ゲートの全開・全閉検出装置において、前記第１検出手段が低位置に設置された本体部と、扉体の全開位置で前記検出手段干渉体が干渉して作動する補助部材と、この補助部材の作動を前記本体部に伝達する上下方向の伝達部材とを備えていることを特徴とするゲートの全開・全閉検出装置。
【発明の詳細な説明】
【０００１】
【発明の属する技術分野】
本発明は、シリンダー開閉式ゲートの全開・全閉検出装置に関するものである。
【０００２】
【従来の技術】
従来より、図３および図４に示すように、水路または水槽１などの放流端に水門壁２が構築され、この水門壁２の下端部に放流用開口部３が貫設され、この放流用開口部３の前面を覆って扉体４の裏面を当接させ、この扉体４を油圧シリンダー装置５によって昇降させることで、放流用開口部３を開閉するように構成されている油圧シリンダー開閉式ゲートでは、扉体４の全開・全閉状態をゲートの全開・全閉検出装置６により検出している。
【０００３】
油圧シリンダー装置５は、水路または水槽１などの床面７に架台８を介して立設された垂直方向の油圧シリンダー５０と、この油圧シリンダー５０から垂直下向きに導出されているとともに、床面７に設けた貫通孔７Ａを通して下端部を扉体４に連結したロッド（スピンドル）５１とを備えている。また、ゲートの全開・全閉検出装置６は、下端部を扉体４に取り付られて、該扉体４とともに昇降する垂直方向の昇降棒６０と、この昇降棒６０に取付けられて該昇降棒６０とともに昇降するとともに、水平に少し張り出して設けた当板６１と、扉体４の全開位置で当板６１が当接する位置に配置されて扉体４の全開を検出する高位置の第１リミットスイッチ６２と、扉体４の全閉位置で当板６１が当接する位置に配置されて扉体４の全閉を検出する低位置の第２リミットスイッチ６３とを備えている。さらに、昇降棒６０は中空の鞘管によってなり、油圧シリンダー５０に上端部を取付けられた垂直下向きのガイド棒６０Ａを挿通してある。したがって、扉体４の昇降時には、ガイド棒６０Ａに沿って鞘管によってなる昇降棒６０が昇降する。
【０００４】
前記構成の油圧シリンダー開閉式ゲートによれば、図３および図４のように、扉体４が放流用開口部３を全閉している全閉位置にある状態で、油圧シリンダー装置５によって扉体４を吊り上げて、放流用開口部３を全開する位置まで上昇させると、図５のように、扉体４の上昇に追従して昇降棒６０が上昇して、当板６１が第１リミットスイッチ６２のレバー６４の先端部に当接して、第１リミットスイッチ６２の接点が切替えられて、扉体４が全開位置まで上昇した状態を検出して、油圧シリンダー５０の作動を停止させるように働く。
【０００５】
一方、扉体４が放流用開口部３を全開している全開位置に上昇している状態で、油圧シリンダー装置５によって扉体４を吊り降ろして、放流用開口部３を全閉する位置まで下降させると、扉体４の下降に追従して昇降棒６０が下降して、図３および図４のように、当板６１が第２リミットスイッチ６３のレバー６５の先端部に当接して、第２リミットスイッチ６３の接点が切替えられて、扉体４が全閉位置まで下降した状態を検出して、油圧シリンダー５０の作動を停止させるように働く。
【０００６】
【発明が解決しようとする課題】
ところで、この種の油圧シリンダー開閉式ゲートでは、水路または水槽１などの床面７から油圧シリンダー装置５の頂面までの高さが４メートルを超える大型のゲートが存在している。このような大型のゲートに前記従来のゲートの全開・全閉検出装置６が適用されていると、第１リミットスイッチ６２の位置が油圧シリンダー５０の頂面近くになるので、第１リミットスイッチ６のメンテナンスがきわめて困難になる難点を有している。
【０００７】
本発明は、このような事情に鑑みてなされたもので、シリンダー装置の頂面までの高さが高い大型のゲートであっても、第１リミットスイッチ（第１検出手段）のメンテナンスを容易に行なうことができるシリンダー開閉式ゲートの全開・全閉検出装置を提供することを目的としている。
【０００８】
【課題を解決するための手段】
前記目的を達成するために、本発明に係るシリンダー開閉式ゲートの全開・全閉検出装置は、水路または水槽の放流用開口部に対向して該放流用開口部の開閉を可能な位置に設置した扉体と、この扉体を昇降させて前記放流用開口部を開閉するシリンダー装置とを備え、前記扉体の昇降に追従して昇降する昇降棒と、この昇降棒に設けられて該昇降棒とともに昇降する検出手段干渉体と、前記扉体の全開位置で前記検出手段干渉体が干渉して扉体の全開を検出する高位置の第１検出手段と、前記扉体の全閉位置で前記検出手段干渉体が干渉して扉体の全閉を検出する低位置の第２検出手段とを備えてなるシリンダー開閉式ゲートの全開・全閉検出装置において、前記第１検出手段が低位置に設置された本体部と、扉体の全開位置で前記検出手段干渉体が干渉して作動する補助部材と、この補助部材の作動を前記本体部に伝達する上下方向の伝達部材とを備えていることを特徴としている。
【０００９】
本発明によれば、扉体が全開位置まで上昇すると、昇降棒に設けられている検出手段干渉体が第１検出手段の補助部材に干渉して作動させ、この作動が伝達部材を介して低位置に設置されている第１検出手段の本体部に伝達されるので、扉体が全開位置まで上昇した状態を第１検出手段の本体部で検出して、シリンダーの作動を停止させることができる。
【００１０】
【発明の実施の形態】
以下、本発明の一実施の形態を図面に基づいて説明する。図１は本発明の一実施の形態の全閉状態の要部を示す正面図である。なお、前記従来の図３および図４と同一もしくは相当部分には同一符号を付して、重複する構造説明は省略する。
【００１１】
図１において、扉体４の全開状態を検出して、油圧シリンダー装置５の作動を停止させる第１検出手段６２が、第２リミットスイッチ６３近くの低位置に設置されたリミットスイッチ本体６２Ａと、扉体４の全開位置で当板６１が当接する位置に配置されている補助レバー６４Ａと、リミットスイッチ本体６２Ａのレバー６４と補助レバー６４Ａとを連結し、補助レバー６４Ａの作動をレバー６４に伝達して、リミットスイッチ本体６２Ａを作動させるワイヤー６６とを備え、スプリング６７のばね力により、レバー６４および補助レバー６４Ａを常時下向きに付勢している。
【００１２】
このような構成であれば、図１のように、扉体４が放流用開口部３（ただし、図１では、扉体４と放流用開口部３は図示されていない）を全閉している全閉位置にある状態で、油圧シリンダー装置５によって扉体４を吊り上げて、放流用開口部３を全開する位置まで上昇させると、扉体４の上昇に追従して昇降棒６０が上昇して、図２のように、当板６１が補助レバー６４Ａの先端部に当接し、スプリング６７のばね力に抗して補助レバー６４Ａを上向きに回動（作動）させ、同時にワイヤー６６を介してリミットスイッチ本体６２Ａのレバー６４を上向きに回動（作動）させて、リミットスイッチ本体６２Ａの接点を切替えて、扉体４が全開位置まで上昇した状態をリミットスイッチ本体６２Ａで検出して、油圧シリンダー５０の作動を停止させるように働く。
【００１３】
一方、図２のように、扉体４が放流用開口部３を全開している全開位置に上昇している状態で、油圧シリンダー装置５によって扉体４を吊り降ろして、放流用開口部３を全閉する位置まで下降させると、扉体４の下降に追従して昇降棒６０が下降して、図１のように、当板６１が第２リミットスイッチ６３のレバー６５の先端部に当接して、第２リミットスイッチ６３の接点が切替えられて、扉体４が全閉位置まで下降した状態を検出して、油圧シリンダー５０の作動を停止させるように働く。扉体４の下降開始に追従して昇降棒６０が下降を開始することにより、当板６１が補助レバー６４Ａから離れると、スプリング６７のばね力によって、補助レバー６４Ａ、ワイヤー６６およびリミットスイッチ本体６２Ａのレバー６４を下向きに引っ張って復帰させる。
【００１４】
床面７から油圧シリンダー装置５の頂面までの高さが、たとえ４メートルを超える大型の油圧式ゲートであっても、第１検出手段６２のリミットスイッチ本体６２Ａが第２リミットスイッチ６３近くの低位置、つまり、床面７からの高さを１〜１．５メートル程度の低位置に設置されているので、リミットスイッチ本体６２Ａのメンテナンスを容易に行なうことができる。
【００１５】
なお、前記実施の形態では、油圧シリンダー装置５を使用した構成で説明しているが、シリンダー装置５は、水圧シリンダー装置またはエアーシリンダー装置であってもよい。
【００１６】
【発明の効果】
以上説明したように、本発明のゲートの全開・全閉検出装置は構成されているので、以下のような格別な効果を奏する。
【００１７】
すなわち、扉体が全開位置まで上昇した状態は、低位置に変換して設置されている第１検出手段の本体部によって正確に検出することができるとともに、第１検出手段の本体部が低位置に設置されていることにより、大型の油圧式ゲートであっても、メンテナンスを容易に行なうことができる。
【図面の簡単な説明】
【図１】本発明の一実施の形態の全閉状態の要部を示す正面図である。
【図２】本発明の一実施の形態の全開状態の要部を示す正面図である。
【図３】従来例の全閉状態を示す全体正面図である。
【図４】従来例の全閉状態を拡大して示す部分正面図である。
【図５】従来例の全開状態を拡大して示す部分正面図である。
【符号の説明】
１　水路または水槽
３　放流用開口部
４　扉体
５　油圧シリンダー装置
６　ゲートの全開・全閉検出装置
６０　昇降棒
６１　当板（検出手段干渉体）
６２　第１リミットスイッチ（第１検出手段）
６２Ａ　リミットスイッチ本体（本体部）
６３　第２リミットスイッチ（第２検出手段）
６４Ａ　補助レバー（補助部材）
６６　ワイヤー（伝達部材）
【図１】
2004011253.tif 000003
【図２】
2004011253.tif 000004
【図３】
2004011253.tif 000005
【図４】
2004011253.tif 000006
【図５】
2004011253.tif 000007